(57)【要約】【課題】隣接チャネル帯域の信号成分の影響を小さく抑えて、より正確に同期確立や同期外れの判定を行う。【解決手段】制御部８にて閾値算出部８ａは、ロールオフフィルタ４へ入力される受信信号のパワー値Ｐｒｉに対するロールオフフィルタ４から出力される受信信号のパワー値Ｐｒｏの比率ｋと、ロールオフフィルタ４での所望チャネル帯域に関する通過特性を示す基準値ｋｃとの比率Ｐｎｃｈにより標準閾値Ｑｉｎ，Ｑｏｕｔを補正して補正閾値Ｑｉｎ’，Ｑｏｕｔ’を求める。同期判定部８ｂは、補正閾値Ｑｉｎ’，Ｑｏｕｔ’を使用してＩｎ　Ｓｙｎｃ判定およびＯｕｔ　ｏｆ　Ｓｙｎｃ判定を行う。【選択図】　　図１
2004040721.tif 000002
【特許請求の範囲】
【請求項１】
無線信号を受信する受信手段と、
この受信手段により受信された無線信号中の所望チャネルの帯域以外の帯域の信号成分を抑圧するフィルタ手段と、
前記フィルタ手段への入力信号のパワー値に対する前記フィルタ手段からの出力信号のパワー値の比率と前記フィルタ手段での前記所望チャネルの帯域の通過率との間の比率が小さくなることに応じて小さくなるように、予め定められた第１閾値および第２閾値を補正した第１補正閾値および第２補正閾値を求める補正手段と、
通信中に常に信号が到来する所定のチャネルに関する受信品質に応じた所定の品質値と前記第１補正閾値との関係に基づいて同期状態にあるかどうかを判定するとともに、前記品質値と前記第２補正閾値との関係に基づいて同期外れ状態にあるかどうかを判定する同期判定手段とを具備した無線通信装置。
【請求項２】
無線信号を受信する受信手段と、
この受信手段により受信された無線信号中の所望チャネルの帯域以外の帯域の信号成分を抑圧するフィルタ手段と、
前記フィルタ手段への入力信号のパワー値に対する前記フィルタ手段からの出力信号のパワー値の比率と前記フィルタ手段での前記所望チャネルの帯域の通過率との間の比率に基づいて隣接チャネルの有無を判定する隣接チャネル検出手段を具備した無線通信装置。
【発明の詳細な説明】
【０００１】
【発明の属する技術分野】
本発明は、同期状態の確認のためにＩｎ　Ｓｙｎｃ（同期確立）判定およびＯｕｔ　ｏｆ　Ｓｙｎｃ（同期外れ）判定を行う無線通信装置に関する。
【０００２】
【従来の技術】
Ｗ−ＣＤＭＡ（Ｗｉｄｅｂａｎｄ　Ｃｏｄｅ　Ｄｉｖｉｓｉｏｎ　Ｍｕｌｔｉｐｌｅ　Ａｃｃｅｓｓ）方式移動無線通信システムにおいては、移動無線通信端末と基地局との同期状態を管理するために、Ｉｎ　Ｓｙｎｃ判定およびＯｕｔ　ｏｆ　Ｓｙｎｃ判定が移動無線通信端末にて毎フレーム行われ、その判定結果が移動無線通信端末から基地局へと報告される。
【０００３】
同期状態の判定のための基準は以下の２つの異なるフェーズにおいて定義される。
【０００４】
第１フェーズは、上位レイヤより下り個別チャネルの確立が確認されてから１６０ｍｓ後まで続く。第１フェーズでは、Ｉｎ　Ｓｙｎｃ判定のみを行い、Ｏｕｔ　ｏｆ　Ｓｙｎｃ判定および報告は行わない。Ｉｎ　Ｓｙｎｃ判定では、直前の４０ｍｓ間のＤＰＣＣＨ（Ｄｅｄｉｃａｔｅｄ　ｐｈｙｓｉｃａｌ　ｃｏｎｔｒｏｌ　ｃｈａｎｎｅｌ）　Ｑｕａｌｉｔｙが閾値Ｑｉｎより良いならばＩｎ　Ｓｙｎｃと判定し、上位レイヤに通知する。
【０００５】
第２フェーズは、上位レイヤにより下り個別チャネルの確立が確認されてから１６０ｍｓ後に開始される。この第２フェーズでは、以下の条件のいずれかを満たす場合にＯｕｔ　ｏｆ　Ｓｙｎｃと判定する。
【０００６】
（１）　直前の１６０ｍｓ間のＤＰＣＣＨ　Ｑｕａｌｉｔｙが閾値Ｑｏｕｔより悪い。
【０００７】
（２）　受信している全てのトランスポートチャネルにおいて受信した最新２０個のトランスポートブロックのＣＲＣ（Ｃｙｃｌｉｃ　Ｒｅｄｕｎｄａｎｃｙ　Ｃｈｅｃｋ）が全てエラーで、かつ、その直前の１６０ｍｓで受信したトランスポートブロックのＣＲＣが全てエラー。
【０００８】
また、以下の条件を全て満たした場合にＩｎ　Ｓｙｎｃと判定する。
【０００９】
（１）　直前の１６０ｍｓ間のＤＰＣＣＨ　Ｑｕａｌｉｔｙが閾値Ｑｉｎよりも良い。
【００１０】
（２）　受信している全てのトランスポートチャネルにおいて、カレントフレームが含まれるＴＴＩ（Ｔｒａｎｓｍｉｓｓｉｏｎ　Ｔｉｍｅ　Ｉｎｔｅｒｖａｌ）内において最低１つのトランスポートブロックがＣＲＣ　ＯＫで受信される。
【００１１】
このようにして同期判定を行い、Ｏｕｔ　ｏｆ　Ｓｙｎｃと判断した場合には送信機を停止させ、その後にＩｎ　Ｓｙｎｃと判断できたら送信機を再起動する。
【００１２】
一方、この種の移動無線通信端末では、ハンドオフの必要性などの判定のために、隣接チャネル帯域信号が存在するかどうか確認を行う。この確認は、報知チャネルによる基地局側からの通知により行うことが可能である。
【００１３】
【発明が解決しようとする課題】
このようにＩｎ　Ｓｙｎｃ判定およびＯｕｔ　ｏｆ　Ｓｙｎｃ判定においては、ＤＰＣＣＨ出力のＱｕａｌｉｔｙの閾値Ｑｉｎ，Ｑｏｕｔとの比較が行われる、ここでＤＰＣＣＨ出力は、ロールオフフィルタによって隣接チャネル帯域信号の抑制が行われた後のものである。このため、隣接チャネル帯域に十分大きい出力が存在する場合、ロールオフフィルタをかけた後のＤＰＣＣＨ出力は小さくなってしまう。この場合、所望信号が本来はＯｕｔ　ｏｆ　Ｓｙｎｃにならない程度の出力であっても、誤ってＯｕｔ　ｏｆ　Ｓｙｎｃと判定してしまう恐れがある。また所望信号が本来はＩｎ　Ｓｙｎｃと判定すべき程度の出力であっても、Ｉｎ　Ｓｙｎｃと判定されない恐れがある。
【００１４】
また、隣接チャネル帯域信号が存在するかどうかの確認を基地局側からの通知に基づいて行う場合は、報知チャネルでの通知データを抽出し、それを解析しなければならない。このため、確認ができるまでに多くの時間を要する。
【００１５】
本発明はこのような事情を考慮してなされたものであり、その目的とするところは第１に、隣接チャネル帯域の信号成分の影響を小さく抑えて、より正確に同期確立や同期外れの判定を行うことができる無線通信装置を提供することにある。
【００１６】
また第２に、隣接チャネル帯域信号が存在するかどうかの確認を短時間のうちに行うことができる無線通信装置を提供することにある。
【００１７】
【課題を解決するための手段】
前記第１の目的を達成するために第１の本発明は、補正手段は、受信手段により受信された無線信号中の所望チャネルの帯域以外の帯域の信号成分を抑圧するフィルタ手段への入力信号のパワー値に対する前記フィルタ手段からの出力信号のパワー値の比率と前記フィルタ手段での前記所望チャネルの帯域の通過率との間の比率が小さくなることに応じて小さくなるように、予め定められた第１閾値および第２閾値を補正した第１補正閾値および第２補正閾値を求める。そして同期判定手段は、通信中に常に信号が到来する所定のチャネルに関する受信品質に応じた所定の品質値と前記第１補正閾値との関係に基づいて同期状態にあるかどうかを判定するとともに、前記品質値と前記第２補正閾値との関係に基づいて同期外れ状態にあるかどうかを判定することとした。
【００１８】
このような手段を講じたことにより、受信信号に含まれる所望チャネルの帯域以外の帯域の信号成分を考慮して、すなわち特に隣接チャネルの信号成分の影響を考慮して第１閾値および第２閾値を補正した第１補正閾値および第２補正閾値が求められ、その第１補正閾値および第２補正閾値と、通信中に常に信号が到来する所定のチャネルに関する受信品質に応じた所定の品質値との関係に基づいて同期状態にあるかどうかおよび同期外れ状態にあるかどうかが判定される。従って、実際の通信状況に応じた適切な閾値に基づいて同期状態にあるかどうかおよび同期外れ状態にあるかどうかが判定される。
【００１９】
また前記第２の目的を達成するために第２の本発明は、隣接チャネル検出手段は、受信手段により受信された無線信号中の所望チャネルの帯域以外の帯域の信号成分を抑圧するフィルタ手段への入力信号のパワー値に対する前記フィルタ手段からの出力信号のパワー値の比率と前記フィルタ手段での前記所望チャネルの帯域の通過率との間の比率に基づいて隣接チャネルの有無を判定することとした。
【００２０】
このような手段を講じたことにより、フィルタ手段の入出力のパワー値の比率とフィルタ手段の特性との関係から隣接チャネルの有無が判定される。従って、復調処理を行う以前の受信信号の状態から隣接チャネルの有無の判定がなされる。
【００２１】
【発明の実施の形態】
以下、図面を参照して本発明の一実施形態につき説明する。
【００２２】
図１は本実施形態に係る移動無線通信端末の要部構成を示すブロック図である。
【００２３】
なおこの移動無線通信端末は、Ｗ−ＣＤＭＡ移動無線通信システムに用いられるのもので、図示しない基地局との間でＷ−ＣＤＭＡ方式にて通信することで、移動通信を実現するものである。
【００２４】
この図に示すように本実施形態の移動無線通信端末は、アンテナ１、アナログフロントエンド２、Ａ／Ｄ変換器３、ロールオフフィルタ４、サーチャ５、逆拡散器６−１，６−２…，６−ｎ−１，６−２…，６−ｎ、シンボル合成器７および制御部８を有している。
【００２５】
基地局より送信された無線信号はアンテナ１によって受信され、アナログフロントエンド２においてベースバンドに周波数変換される。
【００２６】
アナログフロントエンド２で得られたベースバンドの受信信号は、Ａ／Ｄ変換器３で所定のサンプリングレートでサンプリングされる。そしてＡ／Ｄ変換器３でサンプリングされた受信信号は、ロールオフフィルタ４で所望信号の帯域以外の信号電力、つまり隣接チャネルの信号電力が抑制される。ロールオフフィルタ４を通過した受信信号は、サーチャ５および逆拡散器６−１，６−２…，６−ｎにそれぞれ入力される。
【００２７】
サーチャ５は、基地局から常時送出されているパイロット信号に対しＰＮサーチを行うもので、基本的に逆拡散器と同じ構成を有している。このパスサーチ部のＰＮサーチにより得られる電力情報は、制御部に与えられ、電力の大きなパスすなわち受信パスとするべきパスの検索のために使用される。
【００２８】
逆拡散器６−１，６−２…，６−ｎはそれぞれ、ロールオフフィルタ４を通過した受信信号を逆拡散してデータを復調する。なお逆拡散器６−１，６−２…，６−ｎは、複数のマルチパスのうちで制御部８により割り当てられた受信パスに関する復調を行う。
【００２９】
これらの逆拡散器６−１，６−２…，６−ｎにより復調された各シンボルデータは、シンボル合成器７に入力される。シンボル合成器７は、上記各逆拡散器６−１，６−２…，６−ｎからそれぞれ出力された受信信号の積分出力を合成してデータ成分を再生する。
【００３０】
制御部８は、例えばマイクロプロセッサを主制御回路として有し、移動無線通信端末としての動作を実現するべく各部を総括制御する。この制御部８は、従来よりある移動無線通信端末が有する機能を実現するための周知の処理を行う他に、閾値算出部８ａ、同期判定部８ｂおよび隣接チャネル検出部８ｃとして機能する。
【００３１】
ここで閾値算出部８ａは、Ａ／Ｄ変換器３の出力とロールオフフィルタ４の出力とを考慮してＩｎ　Ｓｙｎｃ判定およびＯｕｔ　ｏｆ　Ｓｙｎｃ判定時に用いる閾値を求める。同期判定部８ｂは、閾値算出部８ａにより求められた閾値を用いてＩｎ　Ｓｙｎｃ判定およびＯｕｔ　ｏｆ　Ｓｙｎｃ判定を行う。隣接チャネル検出部８ｃは、Ａ／Ｄ変換器３の出力およびロールオフフィルタ４の出力の状態を考慮して隣接チャネル帯域信号の有無を検出する。
【００３２】
なお、制御部８は各部を制御するために、多数の制御信号を各部と授受するが図１では本発明に関わる一部のみを図示して、他を省略している。
【００３３】
次に以上のように構成された移動無線通信端末の動作について説明する。
【００３４】
基地局より送信された無線信号をアンテナ１によって受信して得られた受信信号は、アナログフロントエンド２、Ａ／Ｄ変換器３およびロールオフフィルタ４でそれぞれ処理された上で、サーチャ５および逆拡散器６−１，６−２…，６−ｎにそれぞれ入力される。そして受信信号に基づいてサーチャ５によりパスが検索されるとともに、それにより検出された複数の受信パスの復調が逆拡散器６−１，６−２…，６−ｎにより行われる。そしてこれら逆拡散器６−１，６−２…，６−ｎにより復調された各シンボルデータがシンボル合成器７により積分合成されてデータ成分が再生される。
【００３５】
このような受信動作が行われる中で、制御部８は図２に示すような処理を毎フレーム実行する。
【００３６】
図２に示すように制御部８はまずステップＳＴ１において、Ａ／Ｄ変換器３の出力におけるフレーム内での平均出力Ｐｒｉと、ロールオフフィルタ４の出力におけるフレーム内での平均出力Ｐｒｏとをそれぞれ求める。なおこの時、フレーム平均Ｐｒｉ，Ｐｒｏとしては、二乗平均を用いてパワー値を求める。すなわち、平均出力Ｐｒｉとしては、ロールオフフィルタ４により隣接チャネル帯域の信号成分を取り除く前の受信信号におけるパワー値のフレーム内での平均値が求まる。また、平均出力Ｐｒｏとしては、ロールオフフィルタ４により隣接チャネル帯域の信号成分を取り除いた後の受信信号におけるパワー値のフレーム内での平均値が求まる。
【００３７】
次に制御部８はステップＳＴ２において、上述のように求めたフレーム平均Ｐｒｉとフレーム平均Ｐｒｏとの比率ｋを下記の式により求める。
【００３８】
ｋ＝Ｐｒｏ／Ｐｒｉ
この比率ｋの値は、隣接チャネル帯域の信号成分が大きければ小さくなり、逆に隣接チャネル帯域の信号成分が小さければ大きくなる。
【００３９】
続いて制御部８はステップＳＴ３において、比率ｋと基準値ｋｃとの比率Ｐｎｃｈを下記の式により求める。
【００４０】
Ｐｎｃｈ＝ｋ／ｋｃ
ここで基準値ｋｃは、ロールオフフィルタ４での所望チャネル帯域に関する通過特性を示す値である。基準値ｋｃは、隣接チャネル帯域の信号成分が全く存在しない受信信号をロールオフフィルタ４に入力する際のその入力信号のフレーム平均ＰｒｏＣと出力信号のフレーム平均ＰｒｏＣとの比率として、次の式により定められる定数である。
【００４１】
ｋｃ＝ＰｒｏＣ／ＰｒｉＣ
かくして、比率Ｐｎｃｈとしては、ロールオフフィルタ４の入出力のパワー比が隣接チャネル帯域の信号成分が全く存在しない場合のロールオフフィルタ４の入出力のパワー比に対してどの程度ずれているかを表わす値が得られる。すなわち上記の比率Ｐｎｃｈは、隣接チャネル帯域の信号成分の大きさの割合を示す値となる。
【００４２】
そこで制御部８はステップＳＴ４において、上記のようにして求めた比率Ｐｎｃｈにより標準閾値Ｑｉｎ，Ｑｏｕｔを補正することで、補正閾値Ｑｉｎ’，Ｑｏｕｔ’を求める。この補正は具体的には、次の式を演算することにより行われる。
【００４３】
Ｑｉｎ’＝Ｐｎｃｈ×Ｑｉｎ
Ｑｏｕｔ’＝Ｐｎｃｈ×Ｑｏｕｔ
ところで標準閾値Ｑｉｎ，Ｑｏｕｔは、Ｉｎ　Ｓｙｎｃ状態およびＯｕｔ　ｏｆ　Ｓｙｎｃ状態でそれぞれ得られるＤＰＣＣＨ　Ｑｕａｌｉｔｙを考慮してＩｎ　Ｓｙｎｃ判定およびＯｕｔ　ｏｆ　Ｓｙｎｃ判定を行うために設計値として固定的に定められる閾値である。この標準閾値Ｑｉｎ，Ｑｏｕｔは、受信するデータの種類の違いなどのような動作状態の違いによりその値が変化する場合がある。このような場合には、各条件毎に標準閾値Ｑｉｎ，Ｑｏｕｔを定めておき、ステップＳＴ４における演算には実際の動作状態に応じた標準閾値Ｑｉｎ，Ｑｏｕｔを使用する。
【００４４】
こののちに制御部８はステップＳＴ５において、Ｉｎ　Ｓｙｎｃ判定およびＯｕｔ　ｏｆ　Ｓｙｎｃ判定を実施する。このＩｎ　Ｓｙｎｃ判定およびＯｕｔ　ｏｆ　Ｓｙｎｃ判定の詳細は、従来技術に示したような従来通りの規定に従う。しかし制御部８は、閾値Ｑｉｎ，Ｑｏｕｔに代えて、補正閾値Ｑｉｎ’，Ｑｏｕｔ’を使用する。
【００４５】
制御部８は、上記のＩｎ　Ｓｙｎｃ判定およびＯｕｔ　ｏｆ　Ｓｙｎｃ判定の結果を、例えば図示しない送信機の制御に利用する。すなわち例えば、Ｉｎ　Ｓｙｎｃ状態であると判定したならば送信機を動作させ、Ｏｕｔ　ｏｆ　Ｓｙｎｃ状態であると判定したならば送信機を停止させるといった制御を行う。
【００４６】
次に制御部８はステップＳＴ６において、ステップＳＴ３にて求めた比率Ｐｎｃｈが閾値Ｑｎｃｈ以上であるか否かを確認する。閾値Ｑｎｃｈは、例えば比率ｋｃにある程度のマージンを加えた値に設定される定数である。従って、比率Ｐｎｃｈが閾値Ｑｎｃｈ以上であるならば、比率Ｐｎｃｈは比率ｋｃよりも上記マージン以上大きく、ある程度の大きさで隣接チャネル帯域の信号成分がロールオフフィルタ４に入力される受信信号に含まれていることになる。そこで比率Ｐｎｃｈが閾値Ｑｎｃｈ以上であることをステップＳＴ６にて確認したならば、制御部８はステップＳＴ７において、隣接チャネルが有ると判定する。逆に、比率Ｐｎｃｈが閾値Ｑｎｃｈ未満であることをステップＳＴ６にて確認したならば、制御部８はステップＳＴ８において、隣接チャネルが無いと判定する。
【００４７】
この隣接チャネルの有無の判定結果は、例えばハンドオーバの要否の判定のための情報として使用できる。
【００４８】
以上のように本実施形態によれば、Ｉｎ　Ｓｙｎｃ判定およびＯｕｔ　ｏｆ　Ｓｙｎｃ判定は、標準閾値Ｑｉｎ，Ｑｏｕｔを比率Ｐｎｃｈにより補正して得られる補正閾値Ｑｉｎ’，Ｑｏｕｔ’を使用して行う。このため、フレーム平均Ｐｒｉとフレーム平均Ｐｒｏとの比率ｋが小さいほど低い閾値を使用して、また比率ｋが大きいほど高い閾値を使用してＩｎＳｙｎｃ判定およびＯｕｔ　ｏｆ　Ｓｙｎｃ判定が行われることとなる。隣接チャネルがある場合にはＤＰＣＣＨに関する受信信号のパワー値が小さくなってしまうため従来のような固定的な閾値のままだとＯｕｔ　ｏｆ　Ｓｙｎｃになり易く、かつＩｎ　Ｓｙｎｃに復帰しづらくなるが、隣接チャネル帯域の信号成分の電力レベルの比率が大きくなることで閾値が低い値とされるために、このような状況ではＯｕｔ　ｏｆ　Ｓｙｎｃとなりにくく、かつ仮にＯｕｔ　ｏｆ　Ｓｙｎｃに陥ったとしても再びＩｎ　Ｓｙｎｃに戻りやすくなるようにＩｎ　Ｓｙｎｃ判定およびＯｕｔ　ｏｆ　Ｓｙｎｃ判定の動作が調整される。そしてこの結果、Ｉｎ　Ｓｙｎｃ判定およびＯｕｔ　ｏｆ　Ｓｙｎｃ判定が従来よりも広い条件下において適正に行うことが可能となる。そしてこれにより、同期外れを起こりにくくし、かつ同期外れからの復帰も素早く行えるため、長い間同期状態を保ち、より良い品質での通信を行うことが可能となる。
【００４９】
また本実施形態によれば、ロールオフフィルタ４の入出力のパワー比が隣接チャネル帯域の信号成分が全く存在しない場合のロールオフフィルタ４の入出力のパワー比に対してどの程度ずれているかを表わす値Ｐｎｃｈの大きさに応じて隣接チャネルの有無を判定しているので、報知チャネルでの通知データの解析を完了するのよりも早く隣接チャネルの有無を判定することが可能である。そしてこれにより、例えばハンドオーバのような隣接チャネルへの移行もスムーズに行うことを可能とすることができ、移動時にもより良好な通信状態を保つことが可能となる。
【００５０】
なお、本発明は上記実施形態に限定されるものではない。例えば、Ｗ−ＣＤＭＡ方式以外の通信方式を採用した移動無線通信システムに適用される無線通信装置にも本発明の適用が可能である。従って、同期判定のために着目するチャネルもＤＰＣＣＨには限らず、通信中に常に信号が到来する所定のチャネルであれば良い。
【００５１】
また、ロールオフフィルタ４に代えて他の種類の帯域通過フィルタを備えた無線通信端末にも本発明の適用が可能である。
【００５２】
また、Ｉｎ　Ｓｙｎｃ判定およびＯｕｔ　ｏｆ　Ｓｙｎｃ判定と、隣接チャネルの有無の判定との双方を備えている必要はなく、いずれか一方を行う無線通信端末として実現することも可能である。
【００５３】
このほか、本発明の要旨を逸脱しない範囲で種々の変形実施が可能である。
【００５４】
【発明の効果】
第１の本発明によれば、受信信号に含まれる所望チャネルの帯域以外の帯域の信号成分を考慮して、すなわち特に隣接チャネルの信号成分の影響を考慮して第１閾値および第２閾値を補正した第１補正閾値および第２補正閾値を求め、その第１補正閾値および第２補正閾値と、通信中に常に信号が到来する所定のチャネルに関する受信品質に応じた所定の品質値との関係に基づいて同期状態にあるかどうかおよび同期外れ状態にあるかどうかを判定することとしたので、実際の通信状況に応じた適切な閾値に基づいて同期状態にあるかどうかおよび同期外れ状態にあるかどうかが判定されることとなり、この結果、隣接チャネル帯域の信号成分の影響を小さく抑えて、より正確に同期確立や同期外れの判定を行うことが可能となる。
【００５５】
また第２の本発明によれば、フィルタ手段の入出力のパワー値の比率とフィルタ手段の特性との関係から隣接チャネルの有無を判定することとしたので、復調処理を行う前の受信信号の状態から隣接チャネルの有無が判定でき、この結果、隣接チャネル帯域信号が存在するかどうかの確認を短時間のうちに行うことが可能となる。
【図面の簡単な説明】
【図１】本発明の一実施形態に係る移動無線通信端末の要部構成を示すブロック図。
【図２】制御部８が実行する処理のフローチャート。
【符号の説明】
１…アンテナ
２…アナログフロントエンド
３…変換器
４…ロールオフフィルタ
５…サーチャ
６−１，６−２…，６−ｎ…逆拡散器
７…シンボル合成器
８…制御部
８ａ…閾値算出部
８ｂ…同期判定部
８ｃ…隣接チャネル検出部
【図１】
2004040721.tif 000003
【図２】
2004040721.tif 000004